(57)【特許請求の範囲】
【請求項１】
スプールに釣糸を巻回案内する釣糸案内部を有するロータと一体的に回動する軸筒に、ハンドル軸の駆動歯車と噛合するピニオンを設けるとともに、このピニオンの後端部を転がり軸受を介して軸支する軸受部をリール本体からこのリール本体内に突出させて形成して成る魚釣用スピニングリールにおいて、
前記ハンドル軸の両側部を、リール本体に対して軸受を介して回転可能に支え、
前記駆動歯車の歯面側で前記ハンドル軸を支える軸受の径方向の一部を、前記ハンドル軸に対して直交する方向に延びる前記ピニオンの後端部を軸支する前記軸受部に対して、前記ピニオンの軸方向に沿って重合させて配置し、
前記ハンドル軸を支持する軸受のリール本体からの抜けを、前記リール本体に取り付け固定される軸受抜け止めカバーにより防止すると共に、この軸受抜け止めカバーをリール本体から分離することにより前記軸受をリール本体の外側から着脱可能とし、
前記リール本体に軸受を介して位置決めされたハンドル軸の両側部に対して、ハンドルを選択的に固定可能としたことを特徴とする魚釣用スピニングリール。
【請求項２】
前記軸受抜け止めカバーと軸受との間にワッシャが介挿されていることを特徴とする請求項１に記載の魚釣用スピニングリール。
【発明の詳細な説明】
【技術分野】
【０００１】
本発明は、リール本体の巻き取り駆動機構に連結されたハンドルの回転操作により、釣糸案内部を有するロータを回転させて、スプールに釣糸を巻回する魚釣用スピニングリールの改良に関する
【背景技術】
【０００２】
魚釣用スピニングリールのリール本体内には、ハンドルからの回転力を釣糸案内部を有するロータに伝達する巻取駆動機構と、ハンドルからの回転力をスプールの前後動に変換するスプール往復動機構とが内装されている。
【０００３】
また、前記巻取駆動機構を構成する駆動歯車を有するハンドル軸と、前記ロータが取り付け固定され且つスプール軸が内挿されるピニオンは、例えば、互いにオフセットして直交する状態で配置されている（例えば、特許文献１および特許文献２参照）。
【０００４】
更に、高負荷巻取り操作時に円滑にハンドルの回転力をロータに効率良く伝達するために、前記ハンドル軸上の駆動歯車と噛合する前記ピニオンの後端部の噛合部近傍は、リール本体の支持部に軸受を介して回転自在に支持されている（例えば、特許文献２参照）。
【０００５】
また、駆動歯車を有するハンドル軸は、その軸受部も含め、ピニオンの後端部を支持するリール本体の軸受部分から離間された配置構成であるため、その分、ギヤボックスであるリール本体が大型化する。そのため、ピニオンの後端部を支持するリール本体の軸受部分のうちハンドル軸側に位置する部分を弓状にカットして、ピニオンの後端部を支持するリール本体の軸受部分に対してハンドル軸およびその軸受部を近接させるとともに、ハンドル軸を軸支するリール本体の軸受部分の加工を容易にして軸受を支障無く組み込めるようにすることが従来から実施されている（例えば、特許文献１）。
【先行技術文献】
【特許文献】
【０００６】
【特許文献１】実開平２−１１３９７０号公報
【特許文献２】実開平５−８２２７９号公報
【発明の概要】
【発明が解決しようとする課題】
【０００７】
しかしながら、ピニオンの後端部を支持するリール本体の軸受部分の一部をカットして、リール本体におけるハンドル軸の軸受部分とピニオンの後端部の軸受部分とを近接させると、ピニオンの後端部およびハンドル軸を転がり軸受を使用して支持する場合、ピニオンの後端部やハンドル軸の軸受スペースが少なくなるというスペース上の制約が生じてしまう。そのため、リール本体の大型化の防止を図りながら、ピニオンの後端部およびハンドル軸を転がり軸受で確実に支持することが難しくなる。
【０００８】
本発明は前記事情に着目してなされたものであり、その目的とするところは、リール本体の大型化の防止を図りながら、ピニオンの後端部およびハンドル軸を転がり軸受で確実に支持できる魚釣用スピニングリールを提供することにある。
【課題を解決するための手段】
【０００９】
前記課題を解決するために、本発明は、スプールに釣糸を巻回案内する釣糸案内部を有するロータと一体的に回動する軸筒に、ハンドル軸の駆動歯車と噛合するピニオンを設けるとともに、このピニオンの後端部を転がり軸受を介して軸支する軸受部をリール本体からこのリール本体内に突出させて形成して成る魚釣用スピニングリールにおいて、前記ハンドル軸の両側部を、リール本体に対して軸受を介して回転可能に支え、前記駆動歯車の歯面側で前記ハンドル軸を支える軸受の径方向の一部を、前記ハンドル軸に対して直交する方向に延びる前記ピニオンの後端部を軸支する前記軸受部に対して、前記ピニオンの軸方向に沿って重合させて配置し、前記ハンドル軸を支持する軸受のリール本体からの抜けを、前記リール本体に取り付け固定される軸受抜け止めカバーにより防止すると共に、この軸受抜け止めカバーをリール本体から分離することにより前記軸受をリール本体の外側から着脱可能とし、前記リール本体に軸受を介して位置決めされたハンドル軸の両側部に対して、ハンドルを選択的に固定可能としたことを特徴とする。
【発明の効果】
【００１０】
以上説明したように、本発明の魚釣用スピニングリールによれば、ピニオンの後端部を軸支するための転がり軸受を支持する軸受部に十分な軸受スペースを確保した状態で、この軸受部にハンドル軸を近接配置することができ、リール本体の大型化の防止を図りながら、ピニオンの後端部およびハンドル軸を確実に支持でき、ハンドル軸を支える軸受を軸受抜け止めカバーを分離するだけでリール本体の外側から着脱でき、組み込み性の向上を図ることができる。
【図面の簡単な説明】
【００１１】
【図１】本発明の一実施形態に係る魚釣用スピニングリールの側断面図である。
【図２】図１のＡ−Ａ線に沿う断面図である。
【図３】図１のＢ−Ｂ線に沿う断面図である。
【図４】図３の要部拡大断面図である。
【図５】図３の拡大図である。
【図６】変形例に係る要部拡大断面図である。
【図７】参考例に係る要部拡大断面図である。
【発明を実施するための形態】
【００１２】
以下、図面を参照しつつ本発明の一実施形態について説明する。
【００１３】
図１〜図５は本発明の一実施形態を示している。図１〜図３に示されるように、本実施形態の魚釣用スピニングリール１は、リール本体１ａと、リール本体１ａから延出する脚部１ｂと、脚部１ｂの端部に形成され且つ釣竿に取り付けられる竿取付部１ｃを有している。リール本体１ａ内には、スプールに釣糸を巻回するための巻取駆動機構が設けられている。具体的には、ハンドル５が固定されるハンドル軸２がリール本体１ａ内に回転可能に支持されている。ハンドル軸２には駆動歯車であるドライブギア３が固定されており、このドライブギア３にはピニオンギア１３が噛合している。
【００１４】
ピニオンギア１３は、ハンドル軸２に対して直交する方向に延び且つリール本体１ａに軸受６０Ａ，６０Ｂを介して回転可能に支持された軸筒６２に設けられている。また、軸筒６２の先端部には、ベール６および釣糸案内部１５を備えたロータ８が一体的に取り付けられている。
【００１５】
ハンドル軸２と直交する方向に延在するスプール軸９が軸筒６２を貫通している。この場合、スプール軸９は、軸筒６２と同心的に配されており、ハンドル軸２と直交する方向に沿って前後動できる。また、スプール軸９の先端部には釣糸が巻回されるスプール１０が取り付けられている。
【００１６】
また、ハンドル軸２には、オシレーティング機構（スプール往復動機構）６５の連動歯車６６と噛合する歯車６３が形成されている。オシレーティング機構６５は、ハンドル軸２がハンドル５の回転操作によって回転されると、スプール軸９を軸方向に沿って往復駆動（前後動）する。
【００１７】
このような構成では、ハンドル５を回転操作してハンドル軸２を回転させると、オシレーティング機構６５を介してスプール軸９に取り付けられたスプール１０が前後に往復動するとともに、ドライブギア３、ピニオンギア１３、軸筒６２を介してロータ８が回転駆動する。したがって、スプール１０には、釣糸案内部１５を介して、釣糸が均等に巻回される。
【００１８】
前述したように、ハンドル軸２は、リール本体１ａ内でスプール軸９と交差するように延びている。具体的には、図２および図３に示されるように、ハンドル軸２の両側部は、軸受４１，４２を介してリール本体１ａに回転可能に支持されるとともに、ハンドル５が選択的に固定されるハンドル軸２の左右両端部２ａ，２ｂは、リール本体１ａの左右両側に臨むべく、リール本体１ａの左右両側に形成された開口部５０，５０に位置決めされている。リール本体１ａの開口部５０，５０には雌ネジ５１が形成されており、この雌ネジ５１には開口部５０を閉塞するための蓋体４０が螺合されるようになっている。
【００１９】
また、図５に明確に示されるように、リール本体１ａには、リール本体１ａからの軸受４１，４２の抜けを防止する軸受抜け止めカバー７１が、ピン７７を介して取り付け固定されている。この場合、軸受４１，４２と軸受抜け止めカバー７１との間には、ワッシャ７６が介挿されている。すなわち、本実施形態では、図５に仮想的に示されるように、軸受抜け止めカバー７１をリール本体１ａから分離して、軸受４１，４２をリール本体１ａの外部（外側）から着脱（組み込み）できるようになっている。
【００２０】
また、図４に明確に示されるように、リール本体１ａには、ピニオン１３の後端部を軸支する軸受６０Ａを有する軸受部７５が形成されている。この場合、ハンドル軸２を支持するドライブギア３の歯面側のリール本体１ａの軸受４２の径方向の一部は、ピニオン１３の後端部を軸支する軸受部７５と所定の量Ｘだけ（例えばピニオン１３の軸方向で）重合するように配置されている。
【００２１】
このように、本実施形態では、従来のように、ピニオン１３の後端部を支持するリール本体１ａの軸受部７５のうちハンドル軸２側に位置する部分を弓状に上下方向の基部から先端にかけてカットして、リール本体１ａにおけるハンドル軸２の軸受部（軸受４２）とピニオン１３の後端部の軸受部７５（軸受６０Ａ）とを近接させるのではなく、ハンドル軸２を支持するドライブギア３の歯面側のリール本体１ａの軸受４２の径方向の一部を、ピニオン１３の後端部を軸支する軸受部７５に（例えばピニオン１３の軸方向で）重合配置する構成を採用することにより、リール本体１ａにおけるハンドル軸２の軸受部（軸受４２）とピニオン１３の後端部の軸受部７５（軸受６０Ａ）とを（例えばハンドル軸２の軸方向で）所定量離間させて、転がり軸受を使用して支持できる十分な軸受スペースを（例えばハンドル軸２の軸方向で）ピニオン１３の後端部に確保した状態で、リール本体１ａに軸支されるハンドル軸２を、ピニオン１３の後端部を軸支する軸受部７５に対して可及的に近接配置できるようにしている。そのため、リール本体１ａを大型化することなく、良好な軸受機能の維持を図ることができる（リール本体１ａを大型化することなく、ピニオン１３の後端部およびハンドル軸２を転がり軸受で確実に支持できる）。
【００２２】
図６には、前述した実施形態の変形例が示されている。この変形例では、オシレーティング機構６５の連動歯車６６と噛合する歯車６３を逃がすための例えば溝状の逃がし部８０が、リール本体１ａの軸受部７５に形成されている。なお、それ以外の構成は、第１の実施形態と同一であるため、同一符号を付してその説明を省略する。
【００２３】
このように、歯車６３を逃がすための逃がし部８０をリール本体１ａの軸受部７５に形成すると、ハンドル軸２をピニオン１３側に更に近接させることができるため、リール本体１ａの更なる小型化を図ることができる。
【００２４】
図７には、特許請求の範囲に記載の発明に含まれない参考例が示されている。この参考例では、図中矢印で示されるようにリール本体１ａの内側から軸受４２を組み込むことができるように、作業用逃がし部８３が軸受部７５の基部に形成されている。この作業用逃がし部８３は、リール本体１ａに形成された溝からなり、溝の端部８２によってリール本体１ａからの軸受４２の抜けを防止できるようになっている。したがって、前述した実施形態のような軸受抜け止めカバー７１が不要となる。なお、それ以外の構成は、第１の実施形態と同一であるため、同一符号を付してその説明を省略する。
【符号の説明】
【００２５】
１…魚釣用スピニングリール
１ａ…リール本体
２…ハンドル軸（巻取駆動機構）
３…駆動歯車
５…ハンドル
１０…スプール
１３…ピニオン
１５…釣糸案内部
４２…軸受
６２…軸筒
７５…軸受部
【図１】
0004923088.tif 000002
【図２】
0004923088.tif 000003
【図３】
0004923088.tif 000004
【図４】
0004923088.tif 000005
【図５】
0004923088.tif 000006
【図６】
0004923088.tif 000007
【図７】
0004923088.tif 000008